(57)【要約】【課題】  打撃したボールの距離感と方向性とを身に付けるべくフォロースルーを体得するための練習用ゴルフクラブを提供する。【解決手段】  練習用ゴルフクラブ１０は、ボールを打撃するフェース面１２を有するヘッド部１１を備える。さらに、前記フェース面１２の上縁部に、打撃したボールが前記フェース面１２の上縁方向へ移動する力を押えるボール押え面３３を備えたボール保持部３０を設ける。【選択図】  図１
0003191738.tif 000002
【実用新案登録請求の範囲】
【請求項１】
ボールを打撃するフェース面を有するヘッド部を備えた練習用ゴルフクラブであって、
前記フェース面の上縁部に、打撃したボールが前記フェース面の上縁方向へ移動する力を押えるボール押え面を備えたボール保持部を設けたことを特徴とする練習用ゴルフクラブ。
【請求項２】
前記ボール保持部が、前記ボール押え面と前記フェース面とのなす角度θを変更し得ることを特徴とする請求項１に記載の練習用ゴルフクラブ。
【請求項３】
前記ボール保持部が、前記ボール押え面と前記フェース面とのなす角度θを変更可能であることを特徴とする請求項１又は２に記載の練習用ゴルフクラブ。
【請求項４】
前記ボール保持部は、前記フェース面に対する高さがボールの直径の０．５倍以上であることを特徴とする請求項１，２又は３に記載の練習用ゴルフクラブ。
【請求項５】
前記ボール保持部のボール押え面が平面であることを特徴とする請求項１，２，３又は４に記載の練習用ゴルフクラブ。
【請求項６】
前記ボール保持部のボール押え面が下方に向けて凹状の湾曲面であることを特徴とする請求項１，２，３又は４に記載の練習用ゴルフクラブ。
【請求項７】
前記ボール保持部は、既存のゴルフクラブのフェース面の上縁部に、着脱可能に設けたことを特徴とする請求項１〜６のいずれかの一つに記載の練習用ゴルフクラブ。
【請求項８】
ボールを打撃するフェース面を有するヘッド部に取り付けるボール保持具であって、
打撃したボールが前記フェース面の上縁方向へ移動する力を押えるボール押え面を備え、前記ボール押え面が前記フェース面の上縁部に位置するように前記ヘッド部に取り付け可能に構成したことを特徴とするボール保持具。
【請求項９】
前記ボール押え面と前記フェース面とのなす角度θが直角ないしは鋭角であることを特徴とする請求項８に記載のボール保持具。
【請求項１０】
前記ボール押え面と前記フェース面とのなす角度θを変更可能であることを特徴とする請求項８又は９に記載のボール保持具。
【請求項１１】
前記ボール保持部は、前記フェース面に対する高さがボールの直径の０．５倍以上であることを特徴とする請求項８，９又は１０に記載のボール保持具。
【請求項１２】
前記ボール押え面が平面であることを特徴とする請求項８，９又は１０に記載のボール保持具。
【請求項１３】
前記ボール押え面が下方に向けて凹状の湾曲面であることを特徴とする請求項８，９又は１０に記載のボール保持具。
【考案の詳細な説明】
【技術分野】
【０００１】
本考案は、練習用ゴルフクラブに関し、特に打撃したボールの距離感と方向性とを身に付けるための練習用ゴルフクラブ及びボール保持具を提供する技術に関する。
【背景技術】
【０００２】
従来からゴルフにおいて打撃したボールの飛距離を出すために、種々の工夫がなされている。より良いスィングや打ち方を身に付けるために、ゴルフクラブにて実際にボールを打ったり、単にスィングしたりして練習している。
【０００３】
特許文献１記載の発明では、ゴルフの打撃練習の時、一打ごとに手や身体に伝わってくる打撃感覚によってスイートスポットで打てたかどうかを判別するために、突状部を設けたプレートをゴルフクラブのフェース面に設置している。
つまり、同発明は、ボールを打った際にボールの方向性や飛距離を視認しつつ、手や身体に爽快な打撃感覚が伝わってくることから、スイートスポットでボールを捉えたことを容易に確認でき、スイートスポットでボールを捕える打法を会得することが可能であるとされている。
【０００４】
特許文献２記載の練習用ゴルフクラブでは、ボールを保持する保持手段をシャフト部から連設する。前記保持手段は、スイングによって前記ボールに遠心力がかかると、フォロースルーの際に前記ボールが離脱する構成である。フォロースルーのスィングをしたときは飛距離が出るが、フォロースルーでない場合は、腕の力のみに頼って体を回転させないために、ボールの飛距離が出ない上、練習者が想定した方向へボールが飛ばない。練習者は、ボールの飛距離、方向性などを見て、体の回転を使うことを心がけてボールを投げるようにスイングして練習を進めることができる。
【０００５】
特許文献３記載の練習用ゴルフクラブでは、フェースをボールの飛球線に対して凹面とすることによって、ボールを打撃したインパクトの瞬間の感触を実感できるようにしている。つまり、実際の練習では、ボールがフェースに当たった時のボールとフェースとの接触時間が極めて短いので、インパクトの瞬間を感じ取ることができなかった。しかし、フェースを凹面とすることで、ボールとフェースとの接触時間を少し長くして、インパクトの瞬間を長く感じ取るようにしている。
【先行技術文献】
【特許文献】
【０００６】
【特許文献１】特開２００７−３７９３７号公報
【特許文献２】特開２００４−１２１５２７号公報
【特許文献３】特開平１１−３０９２３２号公報
【考案の概要】
【考案が解決しようとする課題】
【０００７】
しかしながら、特許文献１記載の発明は、ゴルフの打撃練習で、スイートスポットでボールを捕えることが確認できるとしても、フォロースルーの感覚をつかむことは容易ではない。実際、ゴルフが上達するには、フェース面がボールを打撃した瞬間にボールに対する力の働く方向（逃げ）をつかんでフォロースルーすることが必要である。換言すれば、練習者は打撃したボールの距離感と方向性とを同時に身に付けることが必要である。
【０００８】
特許文献２記載の発明は、フォロースルーのスィングをしたか否かを判断できるので、それを目標にして練習できるという点ではよいのであるが、実際にボールを打撃しないために疑似体験の練習とはならない。そのため、実際的な打撃練習ではないので、打撃したボールの距離感を身に付けることができないし、上達への意欲を保持する点では半減する。また、スィングするごとにその結果を見て良否を判断するので、頭の中で分析し、フィードバックしながら練習を重ねて会得することになる。つまり、実際に打撃した瞬間のボールのフォロースルーを体験しないので、フォロースルーを体得するには不十分であった。
【０００９】
特許文献３記載の発明は、フェースを凹面とすることで、それまで困難とされていた、ボールを打撃したインパクトの瞬間の感触を実感できるようにしているが、それでもボールとフェースとの接触時間は短いので、フォロースルーの感触を会得するのは容易ではなかった。
【００１０】
本考案はこのような事情に鑑みてなされたものであって、打撃したボールの距離感と方向性とを同時に身に付けるために重要なフォロースルーを体得するための練習用ゴルフクラブ及びボール保持具を提供することを目的とする。
【課題を解決するための手段】
【００１１】
請求項１記載の考案は、ボールを打撃するフェース面を有するヘッド部を備えた練習用ゴルフクラブである。前記フェース面の上縁部に、打撃したボールが前記フェース面の上縁方向へ移動する力を押えるボール押え面を備えたボール保持部を設けたことを特徴とする。
【００１２】
請求項２記載の考案は、前記ボール保持部が、前記ボール押え面と前記フェース面とのなす角度θを変更し得ることを特徴とする。
【００１３】
請求項３記載の考案は、前記ボール保持部が、前記ボール押え面と前記フェース面とのなす角度θを変更可能であることを特徴とする。
【００１４】
請求項４記載の考案は、前記ボール保持部は、前記フェース面に対する高さがボールの直径の０．５倍以上であることを特徴とする。
【００１５】
請求項５記載の考案は、前記ボール保持部のボール押え面が平面であることを特徴とする。
【００１６】
請求項６記載の考案は、前記ボール保持部のボール押え面が下方に向けて凹状の湾曲面であることを特徴とする。
【００１７】
請求項７記載の考案は、前記ボール保持部は、既存のゴルフクラブのフェース面の上縁部に、着脱可能に設けたことを特徴とする。
【００１８】
請求項８記載の考案は、ボールを打撃するフェース面を有するヘッド部に取り付けるボール保持具である。打撃したボールが前記フェース面の上縁方向へ移動する力を押えるボール押え面を備え、前記ボール押え面が前記フェース面の上縁部に位置するように前記ヘッド部に取り付け可能に構成したことを特徴とする。
【００１９】
請求項９記載の考案は、前記ボール押え面と前記フェース面とのなす角度θが直角ないしは鋭角であることを特徴とする。
【００２０】
請求項１０記載の考案は、前記ボール押え面と前記フェース面とのなす角度θを変更可能であることを特徴とする。
【００２１】
請求項１１記載の考案は、前記ボール保持部は、前記フェース面に対する高さがボールの直径の０．５倍以上であることを特徴とする。
【００２２】
請求項１２記載の考案は、前記ボール押え面が平面であることを特徴とする。
【００２３】
請求項１３記載の考案は、前記ボール押え面が下方に向けて凹状の湾曲面であることを特徴とする。
【考案の効果】
【００２４】
本考案によれば、ボールを打撃したインパクトの瞬間に、ボールが受けた力Ｆはフェース面に垂直方向の飛球分力Ｆａと、フェース面に平行でフェース面の上縁方向の分力Ｆｂを発生する。したがって、ボールは前記分力Ｆｂによって瞬間的にフェース面の上縁方向に移動するが、ボール保持部のボール押え面で押えられる。これによって短時間であるがボールがフェース面に接触する時間（タメ）を強制的に発生させることができる。ボールをフェース面に載せる時間を「タメ」と称すると、本来、「タメ」はフォロースルーによって生じるもので、ボールの方向性と距離感を決めるものである。練習者は、練習用ゴルフクラブを用いて繰り返し打撃練習する過程にて、「タメ」を擬似的に体感することができる。つまり、フォロースルーの擬似体験をすることができる。その結果、通常のゴルフクラブを用いたフォロースルーを体得し、打撃したボールの距離感と方向性とを身に付けるように助けられる。
【００２５】
また、ボール保持部のボール押え面がフェース面となす角度θを鋭角とした場合、ボール押え面とボールとの接触点は、前記角度θが９０°の場合よりフェース面に対して高い位置になるので、ボールを押えて保持する効果が大きくなる。すなわち、フォロースルーの疑似体験を生じさせる効果がある。
また、前記角度θを変更可能である場合、練習者の状況に合わせてフォロースルーの疑似体験を生じさせる効果がある。
【００２６】
また、ボール押え面が下方に向けて凹状の湾曲面である場合、平面の場合よりボールを押えて保持する効果が大きくなるので、フォロースルーの疑似体験を生じさせる効果がある。
また、上記のボール保持部は、既存のゴルフクラブのヘッド部に固定することによって、練習用ゴルフクラブとして打撃練習することができ、同様の効果を得ることができる。
【００２７】
また、ボール保持具は、既存のゴルフクラブのヘッド部に取り付けると、練習用ゴルフクラブとして打撃練習することができ、同様の効果を得ることができる。
【図面の簡単な説明】
【００２８】
【図１】本考案に係る練習用ゴルフクラブの第一の実施形態を示し、（ａ）は、ヘッド部の先端側から視た側面図である。（ｂ）は、ヘッド部のフェース面側から視た正面図である。
【図２】図１のヘッド部付近の斜視図である。
【図３】練習用ゴルフクラブの全体の正面図である。
【図４】第一の実施形態における他の例を示す斜視図である。
【図５】本考案に係る練習用ゴルフクラブの第二の実施形態を示し、（ａ）は、ヘッド部の先端側から視た側面図である。（ｂ）は、ヘッド部付近の斜視図である。
【図６】第二の実施形態における他の例を示し、（ａ）は、ヘッド部の先端側から視た側面図である。（ｂ）は、ヘッド部付近の斜視図である。
【図７】第二の実施形態における他の例を示し、（ａ）は、ヘッド部付近の斜視図である。（ｂ）は、ボール保持部を示す斜視図である。（ｃ）は、ボール保持部における他の例を示す斜視図である。
【図８】本考案に係る練習用ゴルフクラブの第三の実施形態を示し、（ａ）は、ヘッド部付近の斜視図である。（ｂ）は、（ａ）における他の例を示す斜視図である。
【図９】本考案に係る練習用ゴルフクラブの第四の実施形態を示し、（ａ）は、ヘッド部付近の斜視図である。（ｂ）は、（ａ）における他の例を示す斜視図である。
【図１０】本考案に係る練習用ゴルフクラブの第五の実施形態を示し、（ａ）は、ヘッド部付近の斜視図である。（ｂ）は、（ａ）における他の例を示す斜視図である。
【図１１】本考案に係る練習用ゴルフクラブの第六の実施形態を示し、（ａ）は、ヘッド部付近の斜視図である。（ｂ）は、ボール保持部を示す斜視図である。（ｃ）は、ボール保持部における他の例を示す斜視図である。
【図１２】本考案に係るボール保持具の第一の実施形態を示し、（ａ）は、背面側から視た斜視図である。（ｂ）は、正面側から視た斜視図である。
【図１３】本考案に係るボール保持具の第二の実施形態を示し、（ａ）は、正面側から視た斜視図である。（ｂ）は、ボール保持プレートを示す斜視図である。（ｃ）は、ボール保持部における他の例を示す斜視図である。
【図１４】本考案に係るボール保持具の第三の実施形態を示し、（ａ）は、正面図である。（ｂ）は、（ａ）の左側面図である。（ｃ）は、（ａ）の背面図である。
【考案を実施するための形態】
【００２９】
以下、本考案に係る練習用ゴルフクラブの第一の実施形態について図面を参照して説明する。
図１（ａ）は、本考案に係る練習用ゴルフクラブの一の実施形態を示すもので、ヘッド部の先端側から視た側面図である。図１（ｂ）は、ヘッド部のフェース面側から視た正面図である。図２は、練習用ゴルフクラブのヘッド部付近の斜視図である。図３は、練習用ゴルフクラブの全体の正面図である。
【００３０】
本実施形態の練習用ゴルフクラブ１０は、図３に示すようにボールを打撃するフェース面１２を有するヘッド部１１と、前記ヘッド部１１に連結したシャフト部１３と、前記シャフト部１３の後端側に設けたグリップ部１４と、を備える。
前記ヘッド部１１は、図１（ａ）及び図１（ｂ）に示すように、フェース面１２の上縁部に、ボール押え面３３を備えたボール保持部３０を一体的に固定している。前記ボール押え面３３は、打撃したボールが前記フェース面１２の上縁方向へ移動する力を押えるために機能するものである。
【００３１】
本実施形態では、ボール保持部３０は、片面を前記ボール押え面３３とする平面状をなしており、ボール押え面３３とフェース面１２とのなす角度θを形成して、フェース面１２の上縁部においてヘッド部１１の底面とほぼ平行に延びる方向に配置されている。なお、前記角度θは、図１ではほぼ９０°であるが、特に限定されない。しかし、ボール押え面３３における機能上の理由から、直角ないしは鋭角であることが望ましい。
【００３２】
また、ボール保持部３０は、フェース面１２に対する高さＨがボールの直径の０．５ないしは０．５５倍であることが望ましい。例えば、直径が４０ｍｍのボールに対して、前記高さＨは２０〜２２ｍｍであることが望ましい。ボールの半径以上の高さがあれば、ボールの頂点が確実にボール押え面３３に当たるので、ボール押え面３３の機能を果たすことになるからである。しかし、前記高さＨは、特に限定されない。
【００３３】
前述の第一の実施形態における他の一例について説明する。上記のボール保持部３０は平面状としているが、図４に示すようにボール押え面３３を、下方に曲率半径の中心を有する凹面３４の湾曲形状とすることができる。この場合、打撃したボールがフェース面１２の上縁方向へ移動する力をより一層フェース面１２に接触するように押えて保持する点で効果的である。
【００３４】
なお、図４ではボール押え面３３の凹面３４が、フェース面１２に対して沿う方向に湾曲しているが、これに加えて前記フェース面１２に対して直交する方向にも湾曲してもよい。つまり、一次元方向に湾曲する湾曲面に限らず、二次元方向に湾曲する湾曲面であってもよい。打撃したボールがフェース面１２の上縁方向へ移動する力をよりいっそうフェース面１２に接触するように押えて保持する効果を上げるためである。
【００３５】
上記の第一の実施形態の練習用ゴルフクラブ１０を用いて、ボールを打撃するスィングを練習する際の動作を説明する。
練習者は、通常のゴルフクラブにてスィングする場合と同様にスィングする。そのスィングは、練習用ゴルフクラブ１０をアドレスの姿勢から後方へ振るテークバックをし、そのテークバックからトップスィングする。次いで前記トップスィングからボールに向かってダウンスィングする。ボールを打撃するインパクトを経てそのまま振りぬくフォロースルーし、練習用ゴルフクラブ１０を振りきるフィニッシュとなる。
【００３６】
上記のダウンスィングする際に、左腕の脇を締めて左腕を張った状態で左手にて引っ張るようにしてスィングすることが基本とされている。この時、腕の回転のみでスィングするのではなく、体の回転でボールを打撃（インパクト）する癖を付けることが必要とされる。そのようなスィングでは、練習用ゴルフクラブ１０のヘッド部１１が体の移動よりも遅れていくことになる。そうなれば、インパクト後にフォロースルーへ繋がっていく。
しかしながら、上記のような理想的なスィングを体得するには、多くの練習を必要とするが、それでも通常のゴルフクラブで練習しても体得することがなかなか難しいものであった。
【００３７】
多くの場合、飛距離を伸ばすためにボールを体の正面で強く打撃しようとするので、左手で引っ張るよりも右手で押し出すような癖が付いていることが原因として考えられる。つまり、フォロースルーができないために、打撃したボールの距離感と方向性を会得することができないことである。さらに、上記の理想的なスィングを意識して練習するとしても、ボールを打撃したインパクトの瞬間は極めて短いために、フォロースルーを理解できないし、フォロースルーの体験が少ないために体得することが難しいことも原因として考えられる。
【００３８】
本実施形態の練習用ゴルフクラブ１０を用いてボールを打撃練習する場合でも、上記の理想的なスィングを意識して行なう必要がある。その際、ボールを打撃したインパクトでは、図１（ａ）に示すようにヘッド部１１のフェース面１２がボールに当たった瞬間に、ボールは地面に水平方向の力Ｆを受ける。そのボールが受ける力Ｆは、フェース面１２に垂直方向の飛球分力Ｆａと、フェース面１２に平行でフェース面１２の上縁方向の分力Ｆｂとに分解できる。したがって、ボールは前記分力Ｆｂによって瞬間的にフェース面１２の上縁方向に移動する。しかし、前記分力Ｆｂはボール保持部３０のボール押え面３３で押えられるので、短時間であるがボールはフェース面１２に接触する時間が発生する。つまり、ボールをフェース面１２に載せる時間（本実施形態では「タメ（溜め）」という）を強制的に発生することができる。本来、「タメ」は、通常のゴルフクラブを用いてスィングした時のフォロースルーによって生じるもので、ボールの方向性と距離感を決定づけるものとなる。
【００３９】
したがって、練習者は、練習用ゴルフクラブ１０を用いて繰り返し打撃練習する過程において、上記の「タメ」を擬似的に体感することができる。そのように「タメ」を繰り返し体感することによってフォロースルーを理解し、フォロースルーの擬似体験を多くするにつれて、真のフォロースルーを体得することができるように助けられる。
その結果、上記の理想的なスィングの癖を付けるように助けられるので、通常のゴルフクラブにてスィングしても、打撃したボールの距離感と方向性を身に付けるように助けられる。練習者がフォロースルーを体得すると、パター、ウッド、アイアンなどの各ゴルフクラブに対して有効となる。
【００４０】
また、ボール保持部３０のボール押え面３３が、図４に示すように下方に曲率半径の中心を有する凹面３４の湾曲形状である場合は、打撃したボールがフェース面１２の上縁方向へ移動する力Ｆｂをよりいっそうフェース面１２に接触するように押えて保持する効果が向上する。その結果、上記の「タメ」を強制的に発生しやすくなるので、フォロースルーの擬似体験を多くして、真のフォロースルーを体得する効果が向上する。
【００４１】
次に、本考案に係る練習用ゴルフクラブの第二の実施形態について図面を参照して説明する。前述の第一の実施形態の練習用ゴルフクラブと異なる箇所を説明し、同様の部材は同じ符号を付して詳しい説明は省略する。
図５（ａ）は、本考案に係る練習用ゴルフクラブの一の実施形態を示すもので、ヘッド部の先端側から視た側面図である。図５（ｂ）は、練習用ゴルフクラブのヘッド部付近の斜視図である。
【００４２】
第一の実施形態では、ボール保持部３０がフェース面１２の上縁部に一体的に固定しているが、第二の実施形態では、ボール保持部３０が、ボール押え面３３とフェース面１２とのなす角度θを変更可能であるという点が異なる。その他は第一の実施形態と同様である。
ボール保持部３０は、図５（ａ）に示すようにフェース面１２の上縁部に横方向の２箇所に左回転支持部３６ａと右回転支持部３６ｂを設け、前記左回転支持部３６ａと右回転支持部３６ｂに回動可能に軸支される構成である。さらに、ボール保持部３０は、ボール押え面３３とフェース面１２とのなす角度θを設定し、その角度θでロックする角度ロック機構４０を備えている。
【００４３】
一例として、ボール保持部３０は、横方向の一側面、図５（ｂ）において右斜め上側の右側面に軸部を突出すると共に、反対側の他側面、図５（ｂ）において左斜め下側の左側面にネジ穴部を設ける。一方、前記左回転支持部３６ａと右回転支持部３６ｂには軸孔を形成する。図５（ｂ）において、ボール保持部３０の右側面の軸部を右回転支持部３６ｂの軸孔に挿入する。一方、ロック用ボルト４１を左回転支持部３６ａの軸孔に挿入し、前記ロック用ボルト４１をボール保持部３０の左側面のネジ穴部にねじ込んで締め付ける。この時、ロック用ボルト４１の締め付け力によって、ボール保持部３０の左側面と左回転支持部３６ａとの接触面がロックされる角度ロック機構４０となる。
【００４４】
なお、前述のボール保持部３０において右側面の軸部は、前記右側面にネジで取り付けるネジ付軸部とすることができる。この場合、前記ネジ付軸部を右方から右回転支持部３６ｂの軸孔に挿入してボール保持部３０の右側面に螺着する。
また、図５（ｂ）ではロック用ボルト４１は蝶ネジとしているが、六角ボルトや六角穴付きボルトなど、種々の形態のボルトであってもよい。
【００４５】
第二の実施形態の作用について説明すると、ボール保持部３０は、右側面の軸部と左側面のネジ穴部にねじ込まれたロック用ボルト４１によって左回転支持部３６ａと右回転支持部３６ｂに対して回転可能である。練習者は、ボール保持部３０のボール押え面３３がフェース面１２とのなす角度θを決めてからロック用ボルト４１を締め付けることで、簡単にボール保持部３０をロックすることができる。
その結果、練習者によってフォロースルーの感覚や熟練した度合いに応じて前記角度θを調整することができる。前記角度θを鋭角にした場合、ボール押え面３３とボールとの接触点は前記角度θが９０°の場合よりフェース面１２に対して高い位置になるのでボールを押えて保持する効果が大きくなる。したがって、練習者の状況に合わせてフォロースルーの擬似体験を多く生じさせ、その練習過程で前記角度θを変化させ、真のフォロースルーを体得してゆくように練習効果の向上を図ることができる。
【００４６】
他の例として、ボール保持部３０は、その両側面にネジ穴部を設けることができる。この場合、右側のロック用ボルト４１を右回転支持部３６ｂの軸孔に挿入し、前記右側のロック用ボルト４１をボール保持部３０の右側面のネジ穴部にねじ込んで締め付ける。一方、左側のロック用ボルト４１を左回転支持部３６ａの軸孔に挿入し、前記左側のロック用ボルト４１をボール保持部３０の左側面のネジ穴部にねじ込んで締め付ける。この時、両側のロック用ボルト４１，４１の締め付け力によって、ボール保持部３０の両側面と、左回転支持部３６ａ及び右回転支持部３６ｂとの各接触面がロックされる角度ロック機構４０となる。
【００４７】
上記の第二の実施形態においてボール保持部３０はボール押え面３３を平面状としているが、図６（ｂ）に示すようにボール押え面３３を、下方に曲率半径の中心を有する凹面３４の湾曲形状とすることができる。打撃したボールがフェース面１２の上縁方向へ移動する力をよりいっそうフェース面１２に接触するように押えて保持する点で効果的である。前述の第一の実施形態における図４の説明とほぼ同様である。
【００４８】
なお、ボール押え面３３の湾曲形状は一次元方向に湾曲する湾曲面に限らず、二次元方向に湾曲する湾曲面であってもよい。打撃したボールがフェース面１２の上縁方向へ移動する力をよりいっそうフェース面１２に接触するように押えて保持する効果を上げるためである。前述の第一の実施形態における図４の説明と同様であるので、詳しい説明は省略する。
【００４９】
前述の第二の実施形態における他の一例について説明する。ボール保持部３０は、片面を前記ボール押え面３３とする平面状をなしており、図７（ａ）に示すように横方向の両側の下部に左支持基部３５ａと右支持基部３５ｂを突出している。図７（ａ）において右斜め上側の右支持基部３５ｂに、図７（ｂ）に示すように右方向へ突出した軸部３５ｄを設ける。また、図７（ａ）において左斜め下側の左支持基部３５ａに軸孔３５ｃを設ける。
一方、ヘッド部１１におけるフェース面１２の上縁部に、横方向の２箇所に左回転支持部３６ａと右回転支持部３６ｂを設ける。図７（ａ）において右斜め上側の右回転支持部３６ｂに軸孔３６ｄを設ける。また、図７（ａ）において左斜め下側の左回転支持部３６ａにネジ穴部３６ｃを形成する。
さらに、前記左回転支持部３６ａの左側面は、図７（ａ）に示すようにネジ穴部３６ｃを中心に外側へ放射状のロック用歯部４２ａを設ける。一方、ボール保持部３０における左支持基部３５ａの右側面に、図７（ｂ）に示すように軸孔３６ｄを中心に外側へ放射状のロック用歯部４２ｂを前記左回転支持部３６ａのロック用歯部４２ａに噛合可能に設ける。
【００５０】
図７（ａ）において、ボール保持部３０の右支持基部３５ｂの軸部３５ｄを右回転支持部３６ｂの軸孔３６ｄに挿入する。一方、ロック用ボルト４１をボール保持部３０の左支持基部３５ａの軸孔３５ｃに挿入し、左回転支持部３６ａのネジ穴部３６ｃにねじ込んで締め付ける。この時、ロック用ボルト４１の締め付け力によって、ボール保持部３０の左支持基部３５ａのロック用歯部４２ｂと左回転支持部３６ａのロック用歯部４２ａが噛合してロックされる角度ロック機構４０となる。
なお、図７（ａ）ではロック用ボルト４１は蝶ネジとしているが、六角ボルトや六角穴付きボルトなど、種々の形態のボルトであってもよい。
上記の図７（ａ）におけるボール保持部３０の作用は、前述の図５（ａ）及び図５（ｂ）におけるボール保持部３０と同様であるので、詳しい説明は省略する。
【００５１】
上記の図７（ａ）及び図７（ｂ）においてボール保持部３０はボール押え面３３を平面状としているが、図７（ｃ）に示すようにボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００５２】
次に、本考案に係る練習用ゴルフクラブの第三の実施形態について図面を参照して説明する。前述の第一の実施形態及び第二の実施形態の練習用ゴルフクラブと異なる箇所を説明し、同様の部材は同じ符号を付して詳しい説明は省略する。
図８（ａ）は、本考案に係る練習用ゴルフクラブの一の実施形態を示すもので、練習用ゴルフクラブのヘッド部付近の斜視図である。
【００５３】
第三の実施形態の練習用ゴルフクラブ１０の特徴は、既存のゴルフクラブ６０のヘッド部６１にボール保持部３０を装着することによって、練習用ゴルフクラブ１０としていることにある。
一例として、ボール保持部３０は、既存のゴルフクラブ６０におけるヘッド部６１の上面に固定する取付用基部３１と、前記取付用基部３１に一体的に設けたボール保持プレート３２と、を備えている。本実施形態では、前記取付用基部３１を既存のゴルフクラブ６０におけるヘッド部６１の上面にボルト３７によってネジ止めしている。
【００５４】
前記ボール保持プレート３２は、片面を前記ボール押え面３３とする平面状をなしており、ボール押え面３３とヘッド部６１のフェース面６２とのなす角度θを形成して、フェース面６２の上縁部においてヘッド部６１の底面とほぼ平行に延びる方向に配置されている。なお、前記角度θは、第一の実施形態における説明と同様である。また、ボール保持プレート３２はフェース面６２に対する高さＨは、第一の実施形態における説明と同様である。
また、第三の実施形態の練習用ゴルフクラブ１０の作用は、第一の実施形態の練習用ゴルフクラブ１０の説明とほぼ同様である。
【００５５】
前述の第三の実施形態における他の一例について説明する。上記のボール保持プレート３２はボール押え面３３を平面状としているが、図８（ｂ）に示すようにボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００５６】
次に、本考案に係る練習用ゴルフクラブの第四の実施形態について図面を参照して説明する。前述の第一の実施形態ないしは第三の実施形態の練習用ゴルフクラブと異なる箇所を説明し、同様の部材は同じ符号を付して詳しい説明は省略する。
図９（ａ）は、本考案に係る練習用ゴルフクラブの一の実施形態を示すもので、練習用ゴルフクラブのヘッド部付近の斜視図である。
【００５７】
第四の実施形態の練習用ゴルフクラブ１０の特徴は、既存のゴルフクラブ６０のヘッド部６１にボール保持部３０を装着することによって、練習用ゴルフクラブ１０としていることにある。なお、ボール保持部３０が、ボール押え面３３とフェース面６２とのなす角度θを変更可能である点は、第一の実施形態及び第三の実施形態と異なり、第二の実施形態と同様である。
【００５８】
一例として、ボール保持部３０は、既存のゴルフクラブ６０におけるヘッド部６１の上面に固定する取付用基部３１と、前記取付用基部３１に回動可能に設けたボール保持プレート３２と、を備えている。本実施形態では、前記取付用基部３１を既存のゴルフクラブ６０におけるヘッド部６１の上面にボルト３７によってネジ止めしている。
【００５９】
前記ボール保持プレート３２は、図９（ａ）に示すように前記取付用基部３１に、フェース面６２の上縁部に位置するようにして横方向の２箇所に左回転支持部３６ａと右回転支持部３６ｂを設け、前記左回転支持部３６ａと右回転支持部３６ｂに回動可能に軸支される構成である。さらに、ボール保持プレート３２は、ボール押え面３３とフェース面６２とのなす角度θを設定し、その角度θでロックする角度ロック機構４０を備えている。片面を前記ボール押え面３３とする平面状をなしており、ボール押え面３３とヘッド部６１のフェース面６２とのなす角度θを形成して、フェース面６２の上縁部においてヘッド部６１の底面とほぼ平行に延びる方向に配置されている。
【００６０】
なお、上記のボール保持プレート３２の回転機構や角度ロック機構４０は、第二の実施形態のようにすることができる。前記角度θは、第一の実施形態における説明と同様である。また、ボール保持プレート３２はフェース面６２に対する高さＨは、第一の実施形態における説明と同様である。
また、第四の実施形態の練習用ゴルフクラブ１０の作用は、第二の実施形態の練習用ゴルフクラブ１０の説明とほぼ同様である。
【００６１】
前述の第四の実施形態における他の一例について説明する。上記のボール保持プレート３２はボール押え面３３を平面状としているが、図９（ｂ）に示すようにボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００６２】
なお、前述の第三の実施形態及び第四の実施形態のように、既存のゴルフクラブ６０のヘッド部６１に装着するボール保持部３０は、例えば、ヘッド部６１に取り付ける位置や形状、取付機構などを種々に変えることができるので、上記の形態に特に限定されない。
【００６３】
次に、本考案に係る練習用ゴルフクラブの第五の実施形態について図面を参照して説明する。前述の第一の実施形態ないしは第四の実施形態の練習用ゴルフクラブと異なる箇所を説明し、同様の部材は同じ符号を付して詳しい説明は省略する。
図１０（ａ）は、本考案に係る練習用ゴルフクラブの一の実施形態を示すもので、練習用ゴルフクラブのヘッド部付近の斜視図である
【００６４】
第五の実施形態の練習用ゴルフクラブ１０の特徴は、既存のゴルフクラブ６０のヘッド部６１にボール保持部３０を装着することによって、練習用ゴルフクラブ１０としていることにある。なお、第三の実施形態及び第四の実施形態と異なる点は、既存のゴルフクラブ６０を傷つけることなくボール保持部３０を装着できることにある。
【００６５】
一例として、ボール保持部３０は、図１０（ａ）に示すように、既存のゴルフクラブ６０におけるヘッド部６１の上縁部及び側縁部を被覆するように取り付けるヘッド部被覆部材５１と、前記ヘッド部被覆部材５１に一体的に設けたボール保持プレート３２と、を備えている。本実施形態では、既存のゴルフクラブ６０のヘッド部６１に被覆した前記ヘッド部被覆部材５１を、既存のゴルフクラブ６０のシャフト部６３に着脱可能に固定している。
【００６６】
ヘッド部被覆部材５１は、ヘッド部６１の上縁部をフェース面６２の一部と裏面とを挟み込む上縁被覆部５２と、ヘッド部６１の先端側の側縁を被覆する側縁被覆部５３と、シャフト部６３に着脱可能に取り付ける装着部５４と、を備えている。上縁被覆部５２と側縁被覆部５３と装着部５４は一体的に設けられている。また、前記装着部５４は、シャフト部６３に巻付け可能な環状帯であり、前記環状帯を締め付けるラチェット型締め付け具５５を備えている。
なお、ヘッド部被覆部材５１の構造は、これに限定されない。材料も、金属に限定されず、樹脂など、種々の形態でよい。装着部５４も、上記のラチェット型締め付け具５５に限定されず、他の形態でもよい。
【００６７】
ボール保持プレート３２は、片面を前記ボール押え面３３とする平面状をなしており、ヘッド部被覆部材５１のフェース面側の上縁被覆部５２に一体的に固定されている。また、ボール押え面３３とヘッド部６１のフェース面６２とのなす角度θを形成して、フェース面６２の上縁部においてヘッド部６１の底面とほぼ平行に延びる方向に配置されている。なお、前記角度θは、第一の実施形態における説明と同様である。また、ボール保持プレート３２はフェース面６２に対する高さＨは、第一の実施形態における説明と同様である。
また、第五の実施形態の練習用ゴルフクラブ１０の作用は、第一の実施形態の練習用ゴルフクラブ１０の説明とほぼ同様である。
【００６８】
前述の第五の実施形態における他の一例について説明する。上記のボール保持プレート３２はボール押え面３３を平面状としているが、図１０（ｂ）に示すようにボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００６９】
次に、本考案に係る練習用ゴルフクラブの第六の実施形態について図面を参照して説明する。前述の第一の実施形態ないしは第五の実施形態の練習用ゴルフクラブと異なる箇所を説明し、同様の部材は同じ符号を付して詳しい説明は省略する。
図１１（ａ）は、本考案に係る練習用ゴルフクラブの一の実施形態を示すもので、図１１（ｂ）はボール保持プレート３２の斜視図である。
【００７０】
第六の実施形態の練習用ゴルフクラブ１０の特徴は、既存のゴルフクラブ６０のヘッド部６１にボール保持部３０を装着することによって、練習用ゴルフクラブ１０としていることにある。なお、ボール保持部３０が、ボール押え面３３とフェース面６２とのなす角度θを変更可能である点は、第一の実施形態、第三の実施形態及び第五の実施形態と異なり、第二の実施形態及び第四の実施形態と同様である。
【００７１】
一例として、ボール保持部３０は、図１１（ａ）に示すように、既存のゴルフクラブ６０におけるヘッド部６１の上縁部及び側縁部を被覆するように取り付けるヘッド部被覆部材５１と、前記ヘッド部被覆部材５１に回動可能に設けたボール保持プレート３２と、を備えている。本実施形態では、既存のゴルフクラブ６０のヘッド部６１に被覆した前記ヘッド部被覆部材５１を、既存のゴルフクラブ６０のシャフト部６３に着脱可能に固定している。
【００７２】
ヘッド部被覆部材５１は、ヘッド部６１の上縁部をフェース面６２の一部と裏面とを挟み込む上縁被覆部５２と、ヘッド部６１の先端側の側縁を被覆する側縁被覆部５３と、シャフト部６３に着脱可能に取り付ける装着部５４と、を備えている。上縁被覆部５２と側縁被覆部５３と装着部５４は一体的に設けられている。また、前記装着部５４は、シャフト部６３に巻付け可能な環状帯であり、前記環状帯を締め付けるラチェット型締め付け具５５を備えている。
なお、ヘッド部被覆部材５１の構造は、この構造に限定されない。材料も、金属に限定されず、樹脂など、種々の形態でよい。装着部５４も、上記のラチェット型締め付け具５５に限定されず、他の形態でもよい。
【００７３】
ボール保持プレート３２は、片面を前記ボール押え面３３とする平面状をなしており、図１１（ａ）に示すように横方向の両側の下部に左支持基部３５ａと右支持基部３５ｂを突出している。図１１（ａ）において右斜め上側の右支持基部３５ｂに、図１１（ｂ）に示すように右方向へ突出した軸部３５ｄを設ける。また、図１１（ａ）において左斜め下側の左支持基部３５ａに軸孔３５ｃを設ける。
一方、ヘッド部被覆部材５１のフェース面６２側の上縁被覆部５２に、横方向の２箇所に左回転支持部３６ａと右回転支持部３６ｂを設ける。図１１（ａ）において右斜め上側の右回転支持部３６ｂに軸孔３６ｄを設ける。また、図１１（ａ）において左斜め下側の左回転支持部３６ａにネジ穴部３６ｃを形成する。
さらに、前記左回転支持部３６ａの左側面は、図１１（ａ）に示すようにネジ穴部３６ｃを中心に外側へ放射状のロック用歯部４２ａを設ける。一方、ボール保持部３０における左支持基部３５ａの右側面に、図１１（ｂ）に示すように軸孔３６ｄを中心に外側へ放射状のロック用歯部４２ｂを前記左回転支持部３６ａのロック用歯部４２ａに噛合可能に設ける。
【００７４】
図１１（ａ）において、ボール保持部３０の右支持基部３５ｂの軸部３５ｄを右回転支持部３６ｂの軸孔３６ｄに挿入する。一方、ロック用ボルト４１をボール保持部３０の左支持基部３５ａの軸孔３５ｃに挿入し、左回転支持部３６ａのネジ穴部３６ｃにねじ込んで締め付ける。この時、ロック用ボルト４１の締め付け力によって、ボール保持部３０の左支持基部３５ａのロック用歯部４２ｂと左回転支持部３６ａのロック用歯部４２ａがロックされる角度ロック機構４０となる。
なお、図１１（ｂ）ではロック用ボルト４１は蝶ネジとしているが、六角ボルトや六角穴付きボルトなど、種々の形態のボルトであってもよい。
上記の図１１（ａ）におけるボール保持部３０の作用は、前述の図５（ａ）及び図５（ｂ）及び図７（ａ）におけるボール保持部３０とほぼ同様であるので、詳しい説明は省略する。
【００７５】
前述の第六の実施形態における他の一例について説明する。上記の図１１（ａ）及び図１１（ｂ）においてボール保持部３０はボール押え面３３を平面状としているが、図１１（ｃ）に示すようにボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００７６】
なお、前述の第五の実施形態及び第六の実施形態のように、既存のゴルフクラブ６０のヘッド部６１に装着するボール保持部３０は、例えば、ヘッド部６１に取り付けるヘッド部６１被服部材やボール保持プレート３２の位置や形状、取付機構などを種々に変えることができるので、上記の形態に特に限定されない。
【００７７】
次に、本考案に係るボール保持具の第一の実施形態について図面を参照して説明する。
図１２（ａ）は、本考案に係るボール保持具の一の実施形態を示すもので、図１２（ｂ）は、既存のゴルフクラブのヘッド部に取り付ける状態を示す斜視図である。
前述の第三の実施形態及び第五の実施形態の練習用ゴルフクラブ１０におけるボール保持部３０は、既存のゴルフクラブ６０のヘッド部６１に着脱可能であるので、ボール保持具７０として成立するものである。
ボール保持具７０の第一の実施形態では、練習用ゴルフクラブの第五の実施形態におけるボール保持部３０をボール保持具として説明し、同様の部材は同じ符号を付すこととする。
【００７８】
ボール保持具７０は、図１２（ａ）に示すように、既存のゴルフクラブ６０におけるヘッド部６１の上縁部及び側縁部を被覆するように取り付けるヘッド部被覆部材５１と、前記ヘッド部被覆部材５１に一体的に設けたボール保持プレート３２と、を備えている。本実施形態では、既存のゴルフクラブ６０のヘッド部６１に被覆した前記ヘッド部被覆部材５１を、既存のゴルフクラブ６０のヘッド部６１の基部に着脱可能である。ヘッド部６１の基部とは、シャフト部６３との連結部付近のことであり、シャフト部６３の付け根付近も含む。
【００７９】
ヘッド部被覆部材５１は、ヘッド部６１の上縁部をフェース面６２の一部と裏面とを挟み込む上縁被覆部５２と、ヘッド部６１の先端側の側縁を被覆する側縁被覆部５３と、ヘッド部６１の基部に着脱可能に取り付ける装着部５４と、を備えている。上縁被覆部５２と側縁被覆部５３と装着部５４は一体的に設けられている。また、前記装着部５４は、シャフト部６３に巻付け可能な環状帯であり、前記環状帯を締め付けるラチェット型締め付け具５５を備えている。
なお、ヘッド部被覆部材５１の構造は、これに限定されない。材料も、金属に限定されず、樹脂など、種々の形態でよい。装着部５４も、上記のラチェット型締め付け具５５に限定されず、他の形態でもよい。
【００８０】
ボール保持プレート３２は、片面を前記ボール押え面３３とする平面状をなしており、ヘッド部被覆部材５１のフェース面６２側の上縁被覆部５２に一体的に固定されている。また、ボール押え面３３は装着するヘッド部６１のフェース面６２とのなす角度θを形成して、フェース面６２の上縁部においてヘッド部６１の底面とほぼ平行に延びる方向に配置されている。なお、前記角度θは、第一の実施形態における説明と同様である。また、ボール保持プレート３２は前記フェース面６２に対する高さＨは、第一の実施形態における説明と同様である。
【００８１】
前述のボール保持具７０における他の一例について説明する。上記のボール保持プレート３２はボール押え面３３を平面状としているが、前記ボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００８２】
次に、本考案に係るボール保持具の第二の実施形態について図面を参照して説明する。
図１３（ａ）は、本考案に係るボール保持具の一の実施形態を示すもので、図１３（ｂ）は、ボール保持プレート３２の斜視図である。
前述の第四の実施形態及び第六の実施形態の練習用ゴルフクラブ１０におけるボール保持部３０は、既存のゴルフクラブ６０のヘッド部６１に着脱可能であるので、ボール保持具７０として成立するものである。
ボール保持具７０の第二の実施形態では、前述の練習用ゴルフクラブの第六の実施形態におけるボール保持部３０をボール保持具として説明し、同様の部材は同じ符号を付すこととする。
【００８３】
ボール保持具７０は、図１３（ａ）に示すように、既存のゴルフクラブ６０におけるヘッド部６１の上縁部及び側縁部を被覆するように取り付けるヘッド部被覆部材５１と、前記ヘッド部被覆部材５１に回動可能に設けたボール保持プレート３２と、を備えている。本実施形態では、既存のゴルフクラブ６０のヘッド部６１に被覆した前記ヘッド部被覆部材５１を、既存のゴルフクラブ６０のヘッド部６１の基部に着脱可能である。
【００８４】
ヘッド部被覆部材５１は、ヘッド部６１の上縁部をフェース面６２の一部と裏面とを挟み込む上縁被覆部５２と、ヘッド部６１の先端側の側縁を被覆する側縁被覆部５３と、ヘッド部６１の基部に着脱可能に取り付ける装着部５４と、を備えている。上縁被覆部５２と側縁被覆部５３と装着部５４は一体的に設けられている。また、前記装着部５４は、シャフト部６３に巻付け可能な環状帯であり、前記環状帯を締め付けるラチェット型締め付け具５５を備えている。
なお、ヘッド部被覆部材５１の構造は、これに限定されない。材料も、金属に限定されず、樹脂など、種々の形態でよい。装着部５４も、上記のラチェット型締め付け具５５に限定されず、他の形態でもよい。
【００８５】
ボール保持プレート３２は、片面を前記ボール押え面３３とする平面状をなしており、図１３（ａ）に示すように横方向の両側の下部に左支持基部３５ａと右支持基部３５ｂを突出している。図１３（ａ）において右斜め上側の右支持基部３５ｂに、図１３（ｂ）に示すように右方向へ突出した軸部３５ｄを設ける。また、図１３（ａ）において左斜め下側の左支持基部３５ａに軸孔３５ｃを設ける。
一方、ヘッド部被覆部材５１のフェース面６２側の上縁被覆部５２に、横方向の２箇所に左回転支持部３６ａと右回転支持部３６ｂを設ける。図１３（ａ）において右斜め上側の右回転支持部３６ｂに軸孔３６ｄを設ける。また、図１３（ａ）において左斜め下側の左回転支持部３６ａにネジ穴部３６ｃを形成する。
さらに、前記左回転支持部３６ａの左側面は、図１３（ａ）に示すようにネジ穴部３６ｃを中心に外側へ放射状のロック用歯部４２ａを設ける。一方、ボール保持部３０における左支持基部３５ａの右側面に、図１３（ｂ）に示すように軸孔３６ｄを中心に外側へ放射状のロック用歯部４２ｂを前記左回転支持部３６ａのロック用歯部４２ａに噛合可能に設ける。
【００８６】
図１３（ａ）において、ボール保持部３０の右支持基部３５ｂの軸部３５ｄを右回転支持部３６ｂの軸孔３６ｄに挿入する。一方、ロック用ボルト４１をボール保持部３０の左支持基部３５ａの軸孔３５ｃに挿入し、左回転支持部３６ａのネジ穴部３６ｃにねじ込んで締め付ける。この時、ロック用ボルト４１の締め付け力によって、ボール保持部３０の左支持基部３５ａのロック用歯部４２ｂと左回転支持部３６ａのロック用歯部４２ａがロックされるロック機構となる。
なお、図１３（ｂ）ではロック用ボルト４１は蝶ネジとしているが、六角ボルトや六角穴付きボルトなど、種々の形態のボルトであってもよい。
【００８７】
前述のボール保持具７０の第二の実施形態における他の一例について説明する。上記のボール保持プレート３２はボール押え面３３を平面状としているが、図１３（ｃ）に示すようにボール押え面３３を、下方に曲率半径の中心を有する凹面３４の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００８８】
次に、本考案に係るボール保持具の第三の実施形態について図面を参照して説明する。
図１４（ａ）は、本考案に係るボール保持具の一の実施形態を示すもので、ボール保持具の正面図である。図１４（ｂ）は、図１４（ａ）の左側面図である。図１４（ｃ）は、図１４（ａ）の背面図である。
ボール保持具７０の第三の実施形態では、前述のボール保持具の第一の実施形態および第二の実施形態と同様の部材は同じ符号を付すこととする。
【００８９】
ボール保持具７０は、図１４（ａ）及び図１４（ｂ）に示すように、既存のゴルフクラブ６０におけるヘッド部６１を被覆するように取り付けるヘッド部被覆部材５１と、前記ヘッド部被覆部材５１に回動可能に設けたボール保持プレート３２と、を備えている。本実施形態では、既存のゴルフクラブ６０のヘッド部６１に被覆した前記ヘッド部被覆部材を、既存のゴルフクラブ６０のヘッド部６１の基部に着脱可能である。
【００９０】
ヘッド部被覆部材５１は、ヘッド部６１をその上縁部から被せる袋状部５６と、ヘッド部６１のフェース面６２を露出するための開口部５６ａと、ヘッド部６１の基部に着脱可能に取り付ける装着部５４と、を備えている。
前記袋状部５６は、例えば、厚いゴム等の樹脂で袋状に形成し、前記開口部５６ａはその内周縁に例えば金属板５６ｂなどの高強度を有する補強領域を形成する。また、前記装着部５４は、ヘッド部６１の基部に巻付け可能な環状帯であり、例えば面ファスナー５４ａと面ファスナー受け金具５４ｂを備えている。
【００９１】
また、袋状部５６は、ヘッド部６１に被せるとき利便性を考慮して、背面側に伸縮可能なギャザー５６ｃを設けることができる。また、袋状部５６をヘッド部６１にフィットさせるために、背面側に切欠き部５６ｄを形成し、ベルト５６ｅとベルト受け金具５６ｆを前記切欠き部５６ｄの内周縁に対向して配置し、ベルト５６ｅの一端に面ファスナー５６ｇを設けることができる。前記ベルト５６ｅをベルト受け金具５６ｆに巻き回してから袋状部５６を横方向に縮むように引っ張って前記面ファスナー５６ｇにて止めることができる。また、袋状部５６は、開口部５６ａの下側の裏地にズレ防止ストッパ５６ｈを設けることができる。
【００９２】
ボール保持プレート３２は、袋状部５６の開口部５６ａの前記補強領域の金属板５６ｂに回動可能に取り付けることができる。その構造は、前記ボール保持具７０の第二の実施形態と同様に設けることができるので、詳しい説明は省略する。また、ボール保持プレート３２は、袋状部５６の開口部５６ａの前記補強領域に一体的に取り付けることができる。その構造は、前記ボール保持具７０の第一の実施形態と同様に設けることができるので、詳しい説明は省略する。
なお、ボール保持プレート３２は、ボール押え面３３を平面状とすることができ、あるいは下方に曲率半径の中心を有する凹面の湾曲形状とすることができる。その湾曲形状は一次元方向に湾曲する湾曲面に限らず、二次元方向に湾曲する湾曲面であってもよい。前述の第一の実施形態における図４の説明と同様であるので、詳しい説明は省略する。
【００９３】
なお、前述の練習用ゴルフクラブ１０の第二の実施形態、第四の実施形態、第六の実施形態及びボール保持具７０の第二の実施形態で示した、ボール保持部３０あるいはボール保持プレート３２の回転機構や角度ロック機構４０は、例えばワンウェイ機構などの他の形態でもよいので、本実施形態で示したものに限定されない。
【産業上の利用可能性】
【００９４】
本考案は、専用の練習用ゴルフクラブとしても、あるいは既存のゴルフクラブを練習用ゴルフクラブとして使用することができる。また、パター、ウッド、アイアンなどの各ゴルフクラブに対して幅広い利用可能性を有する。
【符号の説明】
【００９５】
１０  練習用ゴルフクラブ
１１  ヘッド部
１２  フェース面
１３  シャフト部
３０  ボール保持部
３１  取付用基部
３２  ボール保持プレート
３３  ボール押え面
３４  凹面
３５ａ  左支持基部
３５ｂ  右支持基部
３６ａ  左回転支持部
３６ｂ  右回転支持部
４０  角度ロック機構
４１  ロック用ボルト
４２ａ  ロック用歯部
４２ｂ  ロック用歯部
５１  ヘッド部被覆部材
５２  上縁被覆部
５３  側縁被覆部
５４  装着部
５６  袋状部
５６ａ  開口部
５６ｂ  金属板
６０  既存のゴルフクラブ
６１  ヘッド部
６２  フェース面
６３  シャフト部
７０  ボール保持具
【図１】
0003191738.tif 000003
【図２】
0003191738.tif 000004
【図３】
0003191738.tif 000005
【図４】
0003191738.tif 000006
【図５】
0003191738.tif 000007
【図６】
0003191738.tif 000008
【図７】
0003191738.tif 000009
【図８】
0003191738.tif 000010
【図９】
0003191738.tif 000011
【図１０】
0003191738.tif 000012
【図１１】
0003191738.tif 000013
【図１２】
0003191738.tif 000014
【図１３】
0003191738.tif 000015
【図１４】
0003191738.tif 000016
【手続補正書】
【提出日】平成26年5月1日(2014.5.1)
【手続補正１】
【補正対象書類名】実用新案登録請求の範囲
【補正対象項目名】全文
【補正方法】変更
【補正の内容】
【実用新案登録請求の範囲】
【請求項１】
ボールを打撃するフェース面を有するヘッド部を備えた練習用ゴルフクラブであって、
前記フェース面の上縁部に、打撃したボールが前記フェース面の上縁方向へ移動する力を押えるボール押え面を備えたボール保持部を設けたことを特徴とする練習用ゴルフクラブ。
【請求項２】
前記ボール押え面は、前記フェース面の上縁部を回転中心として回動可能に軸支され、前記ボール保持部は該ボール押え面を該フェース面に対し所望の角度θにて固定し得る角度ロック機構を具備していることを特徴とする請求項１に記載の練習用ゴルフクラブ。
【請求項３】
前記ボール保持部は、前記フェース面に対する高さがボールの直径の０．５倍以上であることを特徴とする請求項１又は２に記載の練習用ゴルフクラブ。
【請求項４】
前記ボール保持部のボール押え面が平面であることを特徴とする請求項１，２，又は３に記載の練習用ゴルフクラブ。
【請求項５】
前記ボール保持部のボール押え面が下方に向けて凹状の湾曲面であることを特徴とする請求項１，２又は３に記載の練習用ゴルフクラブ。
【請求項６】
前記ボール保持部は、既存のゴルフクラブのフェース面の上縁部に、着脱可能に設けたことを特徴とする請求項１〜５のいずれかの一つに記載の練習用ゴルフクラブ。
【請求項７】
ボールを打撃するフェース面を有するヘッド部に取り付けるボール保持具であって、
打撃したボールが前記フェース面の上縁方向へ移動する力を押えるボール押え面を備え、前記ボール押え面が前記フェース面の上縁部に位置するように前記ヘッド部に取り付け可能に構成したことを特徴とするボール保持具。
【請求項８】
前記ボール押え面と前記フェース面とのなす角度θが直角ないしは鋭角であることを特徴とする請求項７に記載のボール保持具。
【請求項９】
前記ボール押え面は、前記フェース面の上縁部を回転中心として回動可能に軸支され、前記ボール保持部は該ボール押え面を該フェース面に対し所望の角度θにて固定し得る角度ロック機構を具備していることを特徴とする請求項７又は８に記載のボール保持具。
【請求項１０】
前記ボール保持部は、前記フェース面に対する高さがボールの直径の０．５倍以上であることを特徴とする請求項７，８又は９に記載のボール保持具。
【請求項１１】
前記ボール押え面が平面であることを特徴とする請求項７，８又は９に記載のボール保持具。
【請求項１２】
前記ボール押え面が下方に向けて凹状の湾曲面であることを特徴とする請求項７，８又は９に記載のボール保持具。
【手続補正２】
【補正対象書類名】明細書
【補正対象項目名】００１２
【補正方法】変更
【補正の内容】
【００１２】
請求項２記載の考案は、前記ボール押え面は、前記フェース面の上縁部を回転中心として回動可能に軸支され、前記ボール保持部は該ボール押え面を該フェース面に対し所望の角度θにて固定し得る角度ロック機構を具備していることを特徴する。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項３記載の考案は、前記ボール保持部は、前記フェース面に対する高さがボールの直径の０．５倍以上であることを特徴とする。
【手続補正５】
【補正対象書類名】明細書
【補正対象項目名】００１５
【補正方法】変更
【補正の内容】
【００１５】
請求項４記載の考案は、前記ボール保持部のボール押え面が平面であることを特徴とする。
【手続補正６】
【補正対象書類名】明細書
【補正対象項目名】００１６
【補正方法】変更
【補正の内容】
【００１６】
請求項５記載の考案は、前記ボール保持部のボール押え面が下方に向けて凹状の湾曲面であることを特徴とする。
【手続補正７】
【補正対象書類名】明細書
【補正対象項目名】００１７
【補正方法】変更
【補正の内容】
【００１７】
請求項６記載の考案は、前記ボール保持部は、既存のゴルフクラブのフェース面の上縁部に、着脱可能に設けたことを特徴とする。
【手続補正８】
【補正対象書類名】明細書
【補正対象項目名】００１８
【補正方法】変更
【補正の内容】
【００１８】
請求項７記載の考案は、ボールを打撃するフェース面を有するヘッド部に取り付けるボール保持具である。打撃したボールが前記フェース面の上縁方向へ移動する力を押えるボール押え面を備え、前記ボール押え面が前記フェース面の上縁部に位置するように前記ヘッド部に取り付け可能に構成したことを特徴とする。
【手続補正９】
【補正対象書類名】明細書
【補正対象項目名】００１９
【補正方法】変更
【補正の内容】
【００１９】
請求項８記載の考案は、前記ボール押え面と前記フェース面とのなす角度θが直角ないしは鋭角であることを特徴とする。
【手続補正１０】
【補正対象書類名】明細書
【補正対象項目名】００２０
【補正方法】変更
【補正の内容】
【００２０】
請求項９記載の考案は、前記ボール押え面は、前記フェース面の上縁部を回転中心として回動可能に軸支され、前記ボール保持部は該ボール押え面を該フェース面に対し所望の角度θにて固定し得る角度ロック機構を具備していることを特徴とする。
【手続補正１１】
【補正対象書類名】明細書
【補正対象項目名】００２１
【補正方法】変更
【補正の内容】
【００２１】
請求項１０記載の考案は、前記ボール保持部は、前記フェース面に対する高さがボールの直径の０．５倍以上であることを特徴とする。
【手続補正１２】
【補正対象書類名】明細書
【補正対象項目名】００２２
【補正方法】変更
【補正の内容】
【００２２】
請求項１１記載の考案は、前記ボール押え面が平面であることを特徴とする。
【手続補正１３】
【補正対象書類名】明細書
【補正対象項目名】００２３
【補正方法】変更
【補正の内容】
【００２３】
請求項１２記載の考案は、前記ボール押え面が下方に向けて凹状の湾曲面であることを特徴とする。